(57)【特許請求の範囲】
【請求項１】
（ａ）端子部材を備えるカードを保持可能、かつ、カード用コネクタに挿入可能なカード保持部材であって、
（ｂ）該カード保持部材のカード用コネクタへの挿入方向前方に位置する前枠部と、該前枠部の両端に連結された側枠部と、該側枠部に配設され、前記カード用コネクタのロック部と係合及び係合解除可能な可動ロック部とを含む枠部を備え、
（ｃ）前記カード用コネクタのロック部は、前方に向うにつれて幅方向外側に向う後方傾斜部を含み、
（ｄ）前記可動ロック部は、前記挿入方向に延在するロック側部と、該ロック側部よりも前記挿入方向後方の後方傾斜部と、前記ロック側部の後端と後方傾斜部との境界に位置する後方角部とを含み、
（ｅ）前記可動ロック部が前記カード用コネクタのロック部と係合すると、前記可動ロック部の後方角部は、前記側枠部が発揮するばね力によって前記幅方向外側に向うように付勢されて前記カード用コネクタのロック部の後方傾斜部に当接し、前記可動ロック部は、前記カード用コネクタのロック部から前記挿入方向前方に向いた力を受け、前記前枠部の前端面は、前記カード用コネクタのカード挿入空間前端部に押付けられることを特徴とするカード保持部材。
【請求項２】
前記可動ロック部は、前記カード保持部材の幅方向に弾性的に変位可能である請求項１に記載のカード保持部材。
【請求項３】
前記側枠部は、前記カードの側端と対向する内枠部と、前記可動ロック部が形成された外枠部と、前記内枠部と外枠部とを分離するスリット部とを含み、前記外枠部は、初期状態において、前後方向に直線的に延在する請求項１又は２に記載のカード保持部材。
【請求項４】
前記枠部は、金属板から成る金属部と、該金属部の周囲の少なくとも一部を被覆する樹脂部とを含み、前記外枠部は金属層と樹脂層とを積層した積層構造を有し、前記可動ロック部は前記積層構造の積層方向と直交する方向に弾性的に変位可能である請求項３に記載のカード保持部材。
【請求項５】
前記金属部は前金属枠部を含み、該前金属枠部の前端面は前記前枠部の前端面に露出する請求項４に記載のカード保持部材。
【請求項６】
前記枠部は、金属板から成る金属部と、該金属部の周囲の少なくとも一部を被覆する樹脂部とを含み、前記金属部は前記可動ロック部の後方角部には露出しない請求項１に記載のカード保持部材。
【請求項７】
請求項１〜６のいずれか１項に記載のカード保持部材を挿入可能なカード用コネクタであって、
前記可動ロック部が係合及び係合解除可能なロック部を備えるカード用コネクタ。
【請求項８】
前記前枠部の前端面が当接可能なカード挿入空間前端部を更に備える請求項７に記載のカード用コネクタ。
【発明の詳細な説明】
【技術分野】
【０００１】
本発明は、カード保持部材及びカード用コネクタに関するものである。
【背景技術】
【０００２】
従来、携帯電話機等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。
【０００３】
近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。
【０００４】
図８は従来のカード用トレイ及びカード用コネクタを示す図である。
【０００５】
図において、９６１は、樹脂材料から成るカード用トレイの枠部材であり、９６６はカード９０１が収容される空間部である。そして、前記カード用トレイは、前記空間部９６６にカード９０１を収容した状態で、カード用コネクタのハウジング８１１に挿入される。該ハウジング８１１には、前記カード９０１の下面に配設された複数の電極パッドと接触して導通する複数の端子８５１と、前記カード用トレイの検出スイッチ用端子８１７と接触することによって前記カード用トレイが挿入されたことを検出するための検出スイッチ用端子８１８とが配設されている。
【０００６】
そして、前記カード用トレイがハウジング８１１に挿入される際には、枠部材９６１が含む一対の側枠部９６４が、前記ハウジング８１１の一対の側壁部８１１ｅに沿ってスライドしてガイドされる。また、前記カード用トレイのラッチ部材９７５の凸部が、側壁部８１１ｅの一方に形成された凹部８７５と係合し、これにより、前記カード用トレイがハウジング８１１にロックされる。
【先行技術文献】
【特許文献】
【０００７】
【特許文献１】特表２００３−５０２７３８号公報
【発明の概要】
【発明が解決しようとする課題】
【０００８】
しかしながら、前記従来のカード用トレイにおいては、ラッチ部材９７５の凸部がハウジング８１１の側壁部８１１ｅに形成された凹部８７５と係合することによって、カード用トレイがカード用コネクタ内に保持されるだけなので、必ずしも位置決めが厳密でなく、カード用コネクタに対する相対的位置がずれてしまうことがある。
【０００９】
特に小型化されたカード用トレイやカード用コネクタの場合、カード９０１の下面に配設された電極パッドや端子８５１の接触部の寸法が微小であるため、カード用トレイとカード用コネクタとの間にわずかでも位置ずれが生じると、カード９０１の電極パッドとカード用コネクタの端子８５１との接触が不良になる可能性がある。
【００１０】
本発明は、前記従来の問題点を解決して、カード用コネクタに容易に挿入することができるとともに、カード用コネクタの所定位置に確実に保持される信頼性の高いカード保持部材及びカード用コネクタを提供することを目的とする。
【課題を解決するための手段】
【００１１】
そのために、本発明のカード保持部材においては、端子部材を備えるカードを保持可能、かつ、カード用コネクタに挿入可能なカード保持部材であって、該カード保持部材のカード用コネクタへの挿入方向前方に位置する前枠部と、該前枠部の両端に連結された側枠部と、該側枠部に配設され、前記カード用コネクタのロック部と係合及び係合解除可能な可動ロック部とを含む枠部を備え、前記カード用コネクタのロック部は、前方に向うにつれて幅方向外側に向う後方傾斜部を含み、前記可動ロック部は、前記挿入方向に延在するロック側部と、該ロック側部よりも前記挿入方向後方の後方傾斜部と、前記ロック側部の後端と後方傾斜部との境界に位置する後方角部とを含み、前記可動ロック部が前記カード用コネクタのロック部と係合すると、前記可動ロック部の後方角部は、前記側枠部が発揮するばね力によって前記幅方向外側に向うように付勢されて前記カード用コネクタのロック部の後方傾斜部に当接し、前記可動ロック部は、前記カード用コネクタのロック部から前記挿入方向前方に向いた力を受け、前記前枠部の前端面は、前記カード用コネクタのカード挿入空間前端部に押付けられる。
【００１３】
本発明の更に他のカード保持部材においては、さらに、前記可動ロック部は、前記カード保持部材の幅方向に弾性的に変位可能である。
【００１５】
本発明の更に他のカード保持部材においては、さらに、前記側枠部は、前記カードの側端と対向する内枠部と、前記可動ロック部が形成された外枠部と、前記内枠部と外枠部とを分離するスリット部とを含み、前記外枠部は、初期状態において、前後方向に直線的に延在する。
【００１６】
本発明の更に他のカード保持部材においては、さらに、前記枠部は、金属板から成る金属部と、該金属部の周囲の少なくとも一部を被覆する樹脂部とを含み、前記外枠部は金属層と樹脂層とを積層した積層構造を有し、前記可動ロック部は前記積層構造の積層方向と直交する方向に弾性的に変位可能である。
【００１７】
本発明の更に他のカード保持部材においては、さらに、前記金属部は前金属枠部を含み、該前金属枠部の前端面は前記前枠部の前端面に露出する。
【００１８】
本発明の更に他のカード保持部材においては、さらに、前記枠部は、金属板から成る金属部と、該金属部の周囲の少なくとも一部を被覆する樹脂部とを含み、前記金属部は前記可動ロック部の後方角部には露出しない。
【００１９】
本発明のカード用コネクタにおいては、本発明のカード保持部材を挿入可能なカード用コネクタであって、前記可動ロック部が係合及び係合解除可能なロック部を備える。
【００２０】
本発明の他のカード用コネクタにおいては、さらに、前記前枠部の前端面が当接可能なカード挿入空間前端部を更に備える。
【発明の効果】
【００２１】
本発明によれば、カード保持部材は、カード用コネクタに容易に挿入することができるとともに、カード用コネクタの所定位置に確実に保持され、高い信頼性を得ることができる。
【図面の簡単な説明】
【００２２】
【図１】本発明の実施の形態におけるカード用トレイをカード用コネクタに挿入した状態を示す斜視図であって、（ａ）はシェルを取付けた状態を示す図、（ｂ）はシェルを取外した状態を示す図である。
【図２】本発明の実施の形態におけるシェルを取外したカード用コネクタにカード用トレイを挿入した状態を示す上面図である。
【図３】本発明の実施の形態におけるカード用トレイの斜視図である。
【図４】本発明の実施の形態におけるカード用トレイの五面図であって、（ａ）は前面図、（ｂ）は上面図、（ｃ）は後面図、（ｄ）は側面図、（ｅ）は下面図である。
【図５】本発明の実施の形態におけるカード用トレイの金属部を示す斜視図である。
【図６】本発明の実施の形態におけるカード用トレイの金属部の二面図であって、（ａ）は上面図、（ｂ）は側面図である。
【図７】本発明の実施の形態におけるカード用コネクタの斜視図であって、（ａ）はシェルを取付けた状態を示す図、（ｂ）はシェルを取外した状態を示す図である。
【図８】従来のカード用トレイ及びカード用コネクタを示す図である。
【発明を実施するための形態】
【００２３】
以下、本発明の実施の形態について図面を参照しながら詳細に説明する。
【００２４】
図１は本発明の実施の形態におけるカード用トレイをカード用コネクタに挿入した状態を示す斜視図、図２は本発明の実施の形態におけるシェルを取外したカード用コネクタにカード用トレイを挿入した状態を示す上面図、図３は本発明の実施の形態におけるカード用トレイの斜視図、図４は本発明の実施の形態におけるカード用トレイの五面図、図５は本発明の実施の形態におけるカード用トレイの金属部を示す斜視図、図６は本発明の実施の形態におけるカード用トレイの金属部の二面図、図７は本発明の実施の形態におけるカード用コネクタの斜視図である。なお、図１及び７において、（ａ）はシェルを取付けた状態を示す図、（ｂ）はシェルを取外した状態を示す図であり、図４において、（ａ）は前面図、（ｂ）は上面図、（ｃ）は後面図、（ｄ）は側面図、（ｅ）は下面図であり、図６において、（ａ）は上面図、（ｂ）は側面図である。
【００２５】
図において、１６０は本実施の形態におけるカード保持部材としてのカード用トレイであり、図１に示されるように、カード１０１を収容して保持した状態で、図示されない電子機器に取付けられたカード用コネクタ１に挿入される。つまり、カード１０１は、その側面１１２と対向する枠部１６１によって前記側面１１２を囲繞（にょう）された状態でカード用トレイ１６０に収容され、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。
【００２６】
ところで、例えば、電子機器にカード用コネクタ１以外のカード用コネクタが実装されているような場合には、ユーザがカード用コネクタ１を使用しないこともあり得る。そして、このような場合に、ユーザは、カード１０１を収容していないカード用トレイ１６０、すなわち、空のカード用トレイ１６０をカード用コネクタ１に挿入した状態で保管することができる。
【００２７】
前記カード１０１は、例えば、ＳＩＭカード、マイクロＳＩＭカード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  Ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、マイクロＳＤ（Ｒ）カード又はナノＳＩＭ（ｎａｎｏＳＩＭ）カードのいずれかを選択的に使用することができるものとして説明する。なお、ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。また、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２８】
なお、図１及び２に示される例において、前記カード１０１は、マイクロＳＤ（Ｒ）カードであり、全体的に略矩（く）形の板状の形状を有し、その一面（図に示される例においては下面）に、端子部材である図示されない電極パッドが、複数、前端１１１ｆに沿って並ぶように配設されている。なお、他面、すなわち、下面の反対側の面である上面１１１ｂには、電極パッドが配設されていない。さらに、前端１１１ｆの左右両端と側端１１１ｓとを結合する角部の一方、具体的には、上面１１１ｂにおける前方右角部には、凹部としての切欠部１１１ｃが形成されている。該切欠部１１１ｃは、カード１０１の前端１１１ｆと前記一方の側端１１１ｓとの角部を所定範囲に亘（わた）って欠落させたものであり、略台形の形状を備える。
【００２９】
なお、本実施の形態において、カード用コネクタ１、カード用トレイ１６０及びカード１０１の各部の構成及び動作を説明するために使用される上、下、左、右、前、後等の方向を示す表現は、絶対的なものでなく相対的なものであり、カード用コネクタ１、カード用トレイ１６０、カード１０１又はそれらの部品が図に示される姿勢である場合に適切であるが、カード用コネクタ１、カード用トレイ１６０、カード１０１又はそれらの部品の姿勢が変化した場合には、姿勢の変化に応じて変更して解釈されるべきものである。
【００３０】
ここで、前記カード用トレイ１６０は、金属から成る板材に打抜き、折曲げ等の加工を施して一体的に形成された金属部１５１と、該金属部１５１の周囲の少なくとも一部を被覆して一体化するように、インサートモールド成形乃至オーバーモールド成形と称される成形方法によって成形された絶縁性の樹脂から成る樹脂部１６１ａとを含む部材である。
【００３１】
前記カード用トレイ１６０の枠部１６１は、カード１０１を収容するカード収容空間としての空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する一対の側枠部１６４とを含んでいる。なお、該側枠部１６４の各々は、前後方向に延在する細長いスリット部１６４ｄによって互いに分離された外枠部１６４ａと内枠部１６４ｂとを備える。該内枠部１６４ｂは、カード１０１の側端１１１ｓに対向する部分であり、前記外枠部１６４ａは、カード用トレイ１６０がカード用コネクタ１に挿入される際にハウジング１１の側壁部１１ｅに対向する部分である。なお、前記スリット部１６４ｄは、側枠部１６４を厚さ方向に貫通する。
【００３２】
本実施の形態において、前記外枠部１６４ａは、カード用コネクタ１内に挿入されたカード用トレイ１６０を保持するばね部材として機能する部分であり、カード用トレイ１６０の幅方向に弾性的に変位するばねとして機能する。そして、前記外枠部１６４ａには、カード用トレイ１６０の幅方向内側に向けて弾性的に変位し得る係合部として機能し、カード用トレイ１６０のカード用コネクタ１内への挿入が完了した状態において、カード用コネクタ１のロック部としてのロック凹部７５と係合する可動ロック部としてのロック凸部１６８が形成されている。
【００３３】
なお、前記外枠部１６４ａは、初期状態、すなわち、何ら外力が付与されない状態において、前後方向に直線的に延在し、その外側面１６４ｅは、ロック凸部１６８を除いて、平面となっている。該ロック凸部１６８は、平面視において概略台形の形状を有し、前記外側面１６４ｅよりも幅方向外側に突出する。また、カード用トレイ１６０がカード用コネクタ１内へ挿入されるときに、前記ロック凸部１６８がハウジング１１の側壁部１１ｅに当接して外力を受けた状態となると、前記外枠部１６４ａは、カード用トレイ１６０の幅方向内側に向けて弾性的に変位するが、前記スリット部１６４ｄが外枠部１６４ａの変位を吸収するので、内枠部１６４ｂが外枠部１６４ａによって押されることがない。
【００３４】
前記ロック凸部１６８は、前方傾斜部１６８ａ、前方角部１６８ｂ、カード用トレイ１６０の挿入方向に延在するロック側部としての高原部１６８ｃ、後方角部１６８ｄ及び後方傾斜部１６８ｅを含んでいる。前記前方傾斜部１６８ａ及び後方傾斜部１６８ｅは、前記外側面１６４ｅに対して傾斜した傾斜面となっていて、言わば台形の斜辺に相当する部分であり、前記高原部１６８ｃは、前記外側面１６４ｅにほぼ平行な平面となっていて、言わば台形の上辺に相当する部分である。そして、前記前方角部１６８ｂは、高原部１６８ｃの前端と前方傾斜部１６８ａとの境界に位置する角であり、前記後方角部１６８ｄは、高原部１６８ｃの後端と後方傾斜部１６８ｅとの境界に位置する角である。なお、前記前方角部１６８ｂ及び後方角部１６８ｄは、厳密な意味での角である必要はなく、例えば、面取りが施された形状であってもよいし、平面視において半径の小さな曲線になっていてもよい。
【００３５】
なお、一方の側枠部１６４の内枠部１６４ｂと前枠部１６５とが連結される角部、具体的には、前方右角部には、凸部１６４ｃが形成されている。該凸部１６４ｃは、カード姿勢規制部として機能し、図に示されるように、カード１０１が正規の姿勢である場合には、カード用トレイ１６０内へのカード１０１の収容を許容するが、カード１０１が非正規の姿勢である場合には、カード用トレイ１６０内へのカード１０１の収容を許容しない、すなわち、空間部１６６内へカード１０１を収容することができないようにする。具体的には、前記凸部１６４ｃは、略台形の形状を備え、正規の姿勢で空間部１６６内に収容されたカード１０１の切欠部１１１ｃに近接して対向するように形成される。したがって、非正規の姿勢、例えば、前後逆さま、表裏逆さま等の姿勢のカード１０１をカード用トレイ１６０の空間部１６６内へ挿入して収容することができない。
【００３６】
また、前記後枠部１６２の後方には、後板部１６３が接続されている。そして、該後板部１６３の一端には、前記後板部１６３を板厚方向に貫通する挿通孔（こう）１６３ａが形成されている。該挿通孔１６３ａは、カード用コネクタ１のプッシュロッド２２の操作部２２ａを、ピン、ロッド等の補助部材を介して押圧操作する際に、該補助部材を挿通させる孔（あな）である。
【００３７】
前記後板部１６３を除き、後枠部１６２、側枠部１６４及び前枠部１６５は、上面が互いに面一であるが、前枠部１６５の下面は、側枠部１６４の下面よりも上方に位置することが望ましい。さらに、前枠部１６５の下面は、空間部１６６内に収容されて保持されたカード１０１の下面よりも上方に位置することが望ましい。これにより、カード用トレイ１６０がカード用コネクタ１に挿入される際に、前枠部１６５が第１端子５１及び第２端子６１に接触することが防止される。
【００３８】
そして、左右の側枠部１６４の内枠部１６４ｂの内側下端からは、庇（ひさし）部１６７が空間部１６６の内側に向けて延出する。前記庇部１６７は、空間部１６６内に収容されたカード１０１の下面の少なくとも一部、例えば、側端近傍等を支持するカード支持部として機能する。
【００３９】
また、前枠部１６５、後枠部１６２及び内枠部１６４ｂにおける空間部１６６の内側に向いた側面、すなわち、内側面は、すべて絶縁性の樹脂で覆われており、金属部１５１は露出していない。したがって、空間部１６６内に収容されたカード１０１の下面に配設された電極パッドの周縁がカード１０１の側面１１２に露出していたとしても、金属から成る金属部１５１のいずれの箇所にも当接することはない。
【００４０】
前記金属部１５１は、例えば、板厚が０．２〔ｍｍ〕程度の金属板から成り、前記空間部１６６に対応する開口１５６の四辺を囲繞する略矩形の枠部材であって、幅方向に延在する互いに平行な後金属枠部１５２及び前金属枠部１５５と、前後方向に延在し、後金属枠部１５２の両端と前金属枠部１５５の両端とを連結する一対の金属側枠部１５４とを含んでいる。
【００４１】
前記後金属枠部１５２、金属側枠部１５４及び前金属枠部１５５は、前記後枠部１６２、側枠部１６４及び前枠部１６５の上面及び下面と平行な平板状の部材であるが、前金属枠部１５５は、カード用トレイ１６０の厚さ方向（上下方向）に延在する連結部１５４ｃを介して金属側枠部１５４に連結され、該金属側枠部１５４よりも上方に位置する。
【００４２】
本実施の形態において、前記金属側枠部１５４は、側枠部１６４の内枠部１６４ｂではなく外枠部１６４ａに対応する部材であり、その上面又は下面の少なくとも一方が、インサートモールド成形乃至オーバーモールド成形と称される成形方法によって成形された樹脂部１６１ａに覆われて、前記外枠部１６４ａを形成する。すなわち、前記外枠部１６４ａは、金属板から成る金属側枠部１５４の金属層と、前記金属側枠部１５４の上面又は下面を覆う樹脂部１６１ａの樹脂層とを積層した積層構造を備える。なお、該積層構造は、何層であってもよく、例えば、金属側枠部１５４と該金属側枠部１５４の上面を覆う樹脂部１６１ａとの二層構造や、金属側枠部１５４と該金属側枠部１５４の下面を覆う樹脂部１６１ａとの二層構造であってもよいが、ここでは、金属側枠部１５４と該金属側枠部１５４の上面及び下面を覆う樹脂部１６１ａとの三層構造であるものとして説明する。
【００４３】
そして、前記金属側枠部１５４は、ロック凸部１６８に対応する部位に形成された金属凸部１５８を備える。なお、前記金属側枠部１５４は、初期状態、すなわち、何ら外力が付与されない状態において、前後方向に直線的に延在し、その外側面１５４ｅは、金属凸部１５８を除いて、平面となっている。該金属凸部１５８は、平面視において概略台形の形状を有し、前記外側面１５４ｅよりも幅方向外側に突出する。
【００４４】
前記金属凸部１５８は、前方傾斜部１５８ａ、前方角部１５８ｂ、高原部１５８ｃ、後方角部１５８ｄ及び後方傾斜部１５８ｅを含んでいる。前記前方傾斜部１５８ａ及び後方傾斜部１５８ｅは、前記外側面１５４ｅに対して傾斜した傾斜面となっていて、言わば台形の斜辺に相当する部分であり、前記高原部１５８ｃは、前記外側面１５４ｅにほぼ平行な平面となっていて、言わば台形の上辺に相当する部分である。そして、前記前方角部１５８ｂは、高原部１５８ｃの前端と前方傾斜部１５８ａとの境界に位置する角であり、前記後方角部１５８ｄは、高原部１５８ｃの後端と後方傾斜部１５８ｅとの境界に位置する角である。なお、前記高原部１５８ｃは、ロック凸部１６８の高原部１６８ｃと面一になるように露出するが、前方傾斜部１５８ａ、前方角部１５８ｂ、後方角部１５８ｄ及び後方傾斜部１５８ｅは、外枠部１６４ａ及びロック凸部１６８内に埋没し、露出しない。同様に、外側面１５４ｅも、外枠部１６４ａ及びロック凸部１６８内に埋没し、露出しない。
【００４５】
また、前金属枠部１５５の前端縁及び後端縁の複数箇所には、半円形の凹部であるアンカー用凹部１７１が形成されている。該アンカー用凹部１７１は、インサートモールド成形乃至オーバーモールド成形と称される成形方法によって成形された樹脂部１６１ａの一部が進入して、アンカー部１６９を形成する部分である。これにより、いわゆるアンカー効果が得られるので、金属部１５１と樹脂部１６１ａとがより強固に一体化される。なお、前記アンカー用凹部１７１の数及び形成される箇所は、図に示される例に限定されるものでなく、任意に決定することができる。
【００４６】
図に示される例において、後金属枠部１５２は、後枠部１６２及び側枠部１６４内に埋没する。また、金属側枠部１５４は、前記高原部１５８ｃを除き、側枠部１６４の外枠部１６４ａ内に埋没する。なお、前金属枠部１５５は、その上面及び前端面１５５ａが前枠部１６５の上面及び前端面１６５ａと面一になるように露出し、他の部分は前枠部１６５内に埋没する。
【００４７】
なお、前金属枠部１５５には陥没部１７５が形成されている。該陥没部１７５は、カード用コネクタ１が備える部材であって該部材の当接部がカード用コネクタ１に挿入されたカード用トレイ１６０の前枠部１６５の前端面１６５ａに当接する部位に形成される。前記当接部は、カード用コネクタ１が備える部材の一部であって、カード用コネクタ１に挿入されたカード用トレイ１６０の前枠部１６５の前端面１６５ａに当接する部分であれば、いかなる部材のいかなる部分であってもよいが、ここでは、カード用コネクタ１のイジェクトレバー２１の作用点部２１ａであるものとする。図に示される例において、前記陥没部１７５が形成された部位は、カード用トレイ１６０の幅方向の中央部付近であるが、前記イジェクトレバー２１の作用点部２１ａが当接する部位となるように、適宜変更することができる。
【００４８】
前記陥没部１７５は、前金属枠部１５５における前端面１５５ａ寄りの部分を、前方から観てＶ字状となるように下方に押入させたＶノッチ状の部分である。つまり、前記陥没部１７５は、前方から観て、左右両側に傾斜部分を備える連続した切れ目のない凹部である。そして、陥没部１７５の前面１７５ａは、前金属枠部１５５の前端面１５５ａと面一であって、前枠部１６５の前端面１６５ａに露出し、前金属枠部１５５の前端面１５５ａから前記前枠部１６５の厚さ方向（下方向）に変位した部分を含んでいる。また、陥没部１７５の上面１７５ｂは、下方に向けて傾斜し、かつ、互いに連続した切れ目のない一対の傾斜面であるとともに、前金属枠部１５５の上面と連続している。
【００４９】
前記陥没部１７５及び該陥没部１７５を含む前金属枠部１５５の強度は高く、前面１７５ａが前方から強い力を受けても、陥没部１７５及び該陥没部１７５を含む前金属枠部１５５は変形することがない。また、前記陥没部１７５の後方にインサートモールド成形乃至オーバーモールド成形と称される成形方法によって成形された樹脂部１６１ａの一部が進入するので、アンカー効果が得られ、前金属枠部１５５と前枠部１６５とがより強固に一体化される。
【００５０】
本実施の形態において、カード用コネクタ１は、図７に示されるように、主として合成樹脂等の絶縁性材料から成るハウジング１１と、導電性の金属から成る板材に打抜き、折曲げ等の加工を施すことによって一体的に成形され、ハウジング１１の上側に取付けられたカバー部材としてのシェル６５とを有する。該シェル６５は、概略矩形の天板部６２と、該天板部６２の側縁から立設する側板部６３とを備え、ハウジング１１及びカード用コネクタ１に挿入されたカード用トレイ１６０の少なくとも一部の上方を覆うようになっている。そして、前記カード用コネクタ１は、概略、扁（へん）平な直方体形状を備え、前記電子機器が備える、例えば、プリント配線基板等の基板の表面に取付けられ、後方（図７（ａ）における右下方）の挿入口１８から、カード用トレイ１６０が挿入される。具体的には、ハウジング１１とシェル６５との間に形成されるカード挿入空間内にカード用トレイ１６０が挿入される。
【００５１】
また、前記ハウジング１１は、金属から成る板材に打抜き、折曲げ等の加工を施して一体的に形成された複数の第１端子５１、第２端子６１及び下側シェル１２を含み、前記第１端子５１、第２端子６１及び下側シェル１２の周囲の少なくとも一部を被覆して一体化するように、インサートモールド成形乃至オーバーモールド成形と称される成形方法によって成形された絶縁性の樹脂から成る樹脂部材を含む概略平板状の部材である。なお、前記下側シェル１２は、ハウジング１１を補強するフレーム部材であって、望ましくは、第１端子５１及び／又は第２端子６１と同じ部材から形成されるが、前記第１端子５１及び第２端子６１からは分離されて電気的に絶縁されている。
【００５２】
前記ハウジング１１は、概略矩形の平板状の端子保持部としての底壁部１１ｂと、ハウジング１１におけるカード用トレイ１６０の挿入方向（前後方向）前方の前端部１１ｆに沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記奥壁部１１ａ及び側壁部１１ｅは、その下面が底壁部１１ｂの下面と面一であり、その上面が底壁部１１ｂの上面よりも上方に位置する。また、奥壁部１１ａにおける挿入方向後方の端部は、挿入されたカード用トレイ１６０の前枠部１６５の前端面１６５ａと当接してカード用トレイ１６０の位置決めの基準面乃至基準部として機能するカード挿入空間前端部１１ｋである。なお、ハウジング１１におけるカード用トレイ１６０の挿入方向後方の端部は、後端部１１ｒと称する。
【００５３】
ここで、底壁部１１ｂは、接続端子としての第１端子５１及び第２端子６１の露出部を収容保持する第１端子保持凹部１１ｃ及び第２端子保持凹部１１ｇ並びに第１端子ソルダーテール用開口１１ｄ及び第２端子ソルダーテール用開口１１ｈを備える。前記第１端子保持凹部１１ｃ及び第２端子保持凹部１１ｇ並びに第１端子ソルダーテール用開口１１ｄ及び第２端子ソルダーテール用開口１１ｈは、底壁部１１ｂを板厚方向に貫通する開口である。
【００５４】
そして、第１端子保持凹部１１ｃ及び第１端子ソルダーテール用開口１１ｄは、それぞれ、単数であり、第１端子５１は、ハウジング１１の幅方向に延在する１本の列を成すように、並んで配設されている。前記第１端子５１は、少なくとも一部が底壁部１１ｂに埋込まれ、また、少なくとも接触部５１ａが第１端子保持凹部１１ｃ内に露出し、はんだ付部としてのソルダーテール部５１ｄが第１端子ソルダーテール用開口１１ｄ内に露出する。前記接触部５１ａは、第１端子５１の腕部が備えるばね性によって上方に向けて付勢され、カード用コネクタ１内に保持されたカード用トレイ１６０内のカード１０１の電極パッドの各々に接触する。また、前記ソルダーテール部５１ｄは、前記基板に形成された信号線、コンタクトパッド、端子等に、はんだ付等によって電気的に接続される。
【００５５】
また、第２端子保持凹部１１ｇ及び第２端子ソルダーテール用開口１１ｈは、ハウジング１１の前後方向に延在する列を成すように、並んで配設されている。図に示される例では、３つずつ、２列に並ぶように配設されている。前記第２端子６１の各々は、少なくとも一部が底壁部１１ｂに埋込まれ、また、少なくとも接触部６１ａが各第２端子保持凹部１１ｇ内に露出し、はんだ付部としてのソルダーテール部６１ｄが各第２端子ソルダーテール用開口１１ｈ内に露出する。したがって、各第２端子保持凹部１１ｇ内に１つずつ保持される第２端子６１も、ハウジング１１の前後方向に延在する２本の列を成すように配列されている。前記第２端子６１は、少なくとも一部が底壁部１１ｂに埋込まれ、また、少なくとも接触部６１ａが第２端子保持凹部１１ｇ内に露出している。前記接触部６１ａは、第２端子６１の腕部が備えるばね性によって上方に向けて付勢され、カード用コネクタ１内に保持されたカード用トレイ１６０内のカード１０１の電極パッドの各々に接触する。また、前記ソルダーテール部６１ｄは、前記基板に形成された信号線、コンタクトパッド、端子等に、はんだ付等によって電気的に接続される。
【００５６】
前記第１端子５１は、例えば、マイクロＳＤ（Ｒ）カードの電極パッドに適合するように配置されたものであり、前記第２端子６１は、例えば、ナノＳＩＭカードの電極パッドに適合するように配置されたものである。つまり、前記カード用コネクタ１は、カード用トレイ１６０に収容されるカード１０１の種類が異なる場合、例えば、前記カード１０１がマイクロＳＤ（Ｒ）カードである場合にも、ナノＳＩＭカードである場合にも適合するものである。なお、第１端子５１及び第２端子６１の数及び配置の形態は、カード１０１の電極パッドの数及び配置の形態に適合するように、適宜変更される。また、カード用トレイ１６０に収容されるカード１０１の種類が１つのみである場合には、第１端子５１又は第２端子６１を省略することもできる。
【００５７】
前記底壁部１１ｂと左右の側壁部１１ｅとの間には、下側シェル１２が露出している。そして、前後方向に直線的に延在する側壁部１１ｅの内側面には、カード用トレイ１６０の外枠部１６４ａに形成されたロック凸部１６８と係合し、カード用トレイ１６０を保持して固定するためのロック凹部７５が形成されている。該ロック凹部７５は、平面視において概略三角形の形状を有し、前記側壁部１１ｅの内側面よりも幅方向外側に突出する凹部である。また、前記ロック凹部７５は、前方傾斜部７５ａと、後方傾斜部７５ｂとを含んでいる。前記前方傾斜部７５ａ及び後方傾斜部７５ｂは、側壁部１１ｅの内側面に対して傾斜した傾斜面となっていて、言わば三角形の斜辺に相当する部分である。
【００５８】
また、前記側壁部１１ｅの一方の内側には、カード用コネクタ１内に挿入されたカード用トレイ１６０を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６０の前枠部１６５に当接して、カード用トレイ１６０に排出方向の力を付与する作用点部２１ａとして機能する。
【００５９】
前記シェル６５は、天板部６２の側縁から立設する側板部６３を有する。該側板部６３には、複数の掛止開口６３ａが形成され、シェル６５をハウジング１１の上側に取付けると、該ハウジング１１の側壁部１１ｅの外側面に形成された掛止突起１３に前記掛止開口６３ａが掛止され、これにより、シェル６５がハウジング１１に固定される。また、前記側板部６３の下端の任意の箇所には、側板部６３から立設し、シェル６５の幅方向外側に向けて延出する基板接続部としてのソルダーテール部６４が形成されている。該ソルダーテール部６４は、前記基板の表面に形成された固定用パッド等に、はんだ付等によって固定される。
【００６０】
さらに、ハウジング１１には、カード用コネクタ１に挿入されたカード用トレイ１６０が、カード用コネクタ１内の所定位置（カード用トレイ１６０の挿入が完了してロックされる位置）に到達したことを検出する検出スイッチの可動部材１７が配設され、前記シェル６５の側板部６３には、前記検出スイッチの固定部材６７が一体的に形成されている。カード用トレイ１６０が前記所定位置に到達していない場合には、可動部材１７と固定部材６７とが離間しているので、検出スイッチは非導通状態、すなわち、オフ（ＯＦＦ）になっている。しかし、カード用トレイ１６０が前記所定位置に到達すると、可動部材１７がカード用トレイ１６０の側枠部１６４に当接して押され、これにより、可動部材１７が変位して固定部材６７と接触する。したがって、検出スイッチが導通状態、すなわち、オン（ＯＮ）になるので、カード用トレイ１６０が前記所定位置に到達したことが検出される。
【００６１】
次に、前記構成のカード用コネクタ１の動作について説明する。まず、カード用トレイ１６０を挿入する場合の動作について説明する。
【００６２】
ユーザは、手指等によって、カード１０１が収容されたカード用トレイ１６０をカード用コネクタ１の後方から挿入口１８に挿入する。ここで、カード用トレイ１６０は、その上面が上を向き、すなわち、シェル６５の天板部６２と向合い、その下面が下を向き、すなわち、ハウジング１１の底壁部１１ｂと向合い、前枠部１６５がハウジング１１の前端部１１ｆの方を向くような姿勢、すなわち、正規姿勢で挿入される。そのため、空間部１６６に収容されているカード１０１は、電極パッドが配設されていない上面１１１ｂが上を向き、電極パッドが配設された下面がカード用トレイ１６０の下面に露出した状態で下を向く姿勢となっている。なお、カード用トレイ１６０は、カード１０１を収容していない状態であっても、カード１０１を収容した状態であっても、カード用コネクタ１に挿入し、カード用コネクタ１から排出することができるが、ここでは、カード１０１を収容している場合についてのみ説明する。また、該カード１０１は、前述のように、マイクロＳＤ（Ｒ）カードであるものとする。
【００６３】
カード用トレイ１６０が挿入口１８からハウジング１１とシェル６５との間に形成されるカード挿入空間内に挿入されると、側枠部１６４の下面が、下側シェル１２の上面と近接又は接触した状態で、カード用トレイ１６０はカード挿入空間内を進行する。続いて、カード用トレイ１６０の側枠部１６４の外側面１６４ｅよりも幅方向外側に突出したロック凸部１６８が、ハウジング１１の側壁部１１ｅの内側面に当接し、カード用トレイ１６０の幅方向内側へ向けて弾性的に変位させられる。
【００６４】
この場合、その長さ方向の中間近傍にロック凸部１６８が形成された直線的な外枠部１６４ａは、両端が支持された両持ち梁（はり）状のばね部材として機能し、幅方向内側に向けて弾性的に変位するが、その変位がスリット部１６４ｄによって吸収されるので、内枠部１６４ｂと干渉しない。したがって、該内枠部１６４ｂ及びその内側のカード１０１は、負荷を受けることがなく、損傷を受けることがない。また、外枠部１６４ａは、柔軟に弾性変形することができ、ばね部材としての機能を確実に発揮することができる。
【００６５】
なお、外枠部１６４ａは、樹脂部１６１ａよりも剛性の高い金属板から成る金属側枠部１５４を含んでいるので、細長い形状でありながらも、十分に強いばね力を発揮する。特に、前記金属側枠部１５４は、厚さ方向よりも寸法の大きなカード用トレイ１６０の幅方向に変形するので、剛性が高く、強いばね力を発揮する。さらに、外枠部１６４ａは、金属側枠部１５４の金属層と樹脂部１６１ａの樹脂層とを積層した積層構造を備え、その積層方向（カード用トレイ１６０の厚さ方向）と直交する方向（カード用トレイ１６０の幅方向）に変形するので、隣接する層同士の間で変位量に差が生じることがなく、金属側枠部１５４と樹脂部１６１ａとが分離することがなく、その結果、外枠部１６４ａは、剛性が高く、強いばね力を発揮する。
【００６６】
また、ロック凸部１６８が側壁部１１ｅの内側面に当接して変位を開始する際に、ロック凸部１６８の前方傾斜部１６８ａが側壁部１１ｅにおける後端部１１ｒ側の端に当接することによってロック凸部１６８が変位を開始するので、該ロック凸部１６８及び外枠部１６４ａがスムーズに変位し、その結果、ユーザは、カード用トレイ１６０をプッシュして押込むために大きな力を発揮する必要がなく、スムーズにカード用トレイ１６０を押込むことができる。
【００６７】
続いて、ユーザがカード用トレイ１６０をプッシュして更に押込むと、図１に示されるように、カード用トレイ１６０がカード用コネクタ１の所定位置に到達する。このとき、前枠部１６５に押され、可動部材１７が固定部材６７と接触し、検出スイッチがオンになるので、カード用トレイ１６０がカード用コネクタ１の所定位置に到達したことが検出される。
【００６８】
また、カード用トレイ１６０がカード用コネクタ１の所定位置にまで前進することによって、イジェクトレバー２１の作用点部２１ａが、前枠部１６５に押されて前端部１１ｆの方向に向けて更に変位するので、イジェクトレバー２１の力点部２１ｂは、後端部１１ｒの方向に向けて更に変位し、プッシュロッド２２は、後方に最も突出した位置にまでスライドした状態となる。
【００６９】
そして、カード用トレイ１６０がカード用コネクタ１の所定位置に到達すると、イジェクトレバー２１の作用点部２１ａは、ハウジング１１の奥壁部１１ａと干渉するので、それ以上前端部１１ｆの方向に向けて変位不能となる。したがって、カード用トレイ１６０も、それ以上前進不能となる。また、前枠部１６５の前端面１６５ａがハウジング１１のカード挿入空間前端部１１ｋに当接するので、カード用トレイ１６０は、それ以上前進不能となる。
【００７０】
さらに、該カード用トレイ１６０がカード用コネクタ１の所定位置に到達すると、左右一対の外枠部１６４ａのロック凸部１６８は、外枠部１６４ａが発揮するばね力によって付勢され、カード用トレイ１６０の幅方向外側へ向けて弾性的に変位し、側壁部１１ｅの内側面に形成されたロック凹部７５と係合する。
【００７１】
この場合、図２に示されるように、ロック凸部１６８の後方角部１６８ｄがロック凹部７５の後方傾斜部７５ｂに当接する。該後方傾斜部７５ｂは、前方に向うにつれてカード用コネクタ１の幅方向外側に向うような傾斜面であり、前記後方角部１６８ｄは、外枠部１６４ａが発揮するばね力によってカード用コネクタ１の幅方向外側に向うように付勢され、後方傾斜部７５ｂに当接する。したがって、前記後方角部１６８ｄは、後方傾斜部７５ｂに沿って摺（しゅう）動し、カード用コネクタ１の幅方向外側に向うように、かつ、前方に向うように変位することとなる。その結果、カード用トレイ１６０が前方に向うように付勢され、前枠部１６５の基準面としての前端面１６５ａがハウジング１１の基準面としてのカード挿入空間前端部１１ｋに押付けられるので、カード用トレイ１６０は、カード用コネクタ１の所定位置に正確に保持される。また、カード用トレイ１６０は、所定位置から後方に向けて変位することが防止される。
【００７２】
さらに、前記前枠部１６５の前端面１６５ａは、前金属枠部１５５の前端面１５５ａが露出しているので、損傷を受けたり摩滅したりすることがない。したがって、長期間に亘る使用の後でも、前記前端面１６５ａの基準面としての機能が低下することがない。
【００７３】
なお、前述のように、金属側枠部１５４は、高原部１５８ｃを除き、側枠部１６４の外枠部１６４ａ内に埋没し、後方角部１６８ｄに露出していない。したがって、ロック凹部７５の後方傾斜部７５ｂは、ロック凸部１６８の後方角部１６８ｄが摺動しても、損傷を受けたり摩滅したりすることがない。通常、カード用トレイ１６０が容易に交換可能であるのに対し、カード用コネクタ１は、電子機器に取付けられ、交換することが困難乃至不能なので、その一部であるロック凹部７５の後方傾斜部７５ｂが損傷を受けたり摩滅したりすることがないことによる効果は多大である。
【００７４】
そして、カード用トレイ１６０内に収容されているカード１０１は、カード用トレイ１６０とともに、所定位置に保持されることによって、カード用コネクタ１が実装された電子機器の演算手段等との間でデータの送受信を行うことができる状態となる。なお、カード１０１が所定位置に保持されているとき、カード用コネクタ１の第１端子５１は、その接触部５１ａが、カード１０１の電極パッドの各々に接触して導通している。
【００７５】
次に、カード用トレイ１６０をカード用コネクタ１から排出させる動作について説明する。
【００７６】
まず、ユーザが手指等によって、ピン、ロッド等の補助部材を、カード用トレイ１６０の後方から、後板部１６３に形成された挿通孔１６３ａに挿通させ、前記補助部材の先端をプッシュロッド２２の操作部２２ａに当接させる。そして、ユーザが補助部材を介してプッシュロッド２２を押込むと、該プッシュロッド２２の係合部２２ｂと係合するイジェクトレバー２１の力点部２１ｂが前方に変位する。このとき、外枠部１６４ａのロック凸部１６８が側壁部１１ｅの内側面に形成されたロック凹部７５と係合することによってカード用トレイ１６０はロックされているが、ユーザの手指等が発揮する力は、十分に大きいと考えられるので、ユーザがプッシュロッド２２の操作部２２ａをプッシュして押込むと、前記ロック凸部１６８がカード用トレイ１６０の幅方向内側に向うように変位して、容易にロックが解除され、カード用トレイ１６０は後端部１１ｒの方向に向けて移動する。そして、それに伴って、検出スイッチがオフになり、カード用トレイ１６０が所定位置から後方に移動したことが検出される。
【００７７】
これにより、カード用トレイ１６０の後板部１６３は、カード用コネクタ１の挿入口１８から十分に大きく後方へ突出した状態となる。したがって、ユーザは、手指等によって後板部１６３を把持することにより、カード用トレイ１６０をカード用コネクタ１から引出して排出させることができる。
【００７８】
なお、前記前枠部１６５は、イジェクトレバー２１の作用点部２１ａから強い力を受けても、損傷したり破損したりすることがないようにするために、その前面に前金属枠部１５５の前端面１５５ａが露出している。
【００７９】
しかし、イジェクトレバー２１の作用点部２１ａの厚さは、通常、前枠部１６５の厚さよりも薄く設定されている。また、カード用トレイ１６０及びカード用コネクタ１の各部分における厚さ方向の寸法に含まれる不可避的な寸法誤差により、前枠部１６５とイジェクトレバー２１の作用点部２１ａとの厚さ方向の相対的位置関係はずれることがある。さらに、ハウジング１１の底壁部１１ｂへのイジェクトレバー２１の取付誤差により、イジェクトレバー２１全体が支点部２１ｃを中心として厚さ方向に揺動し得るので、作用点部２１ａが厚さ方向に変位し得る。そのため、イジェクトレバー２１の作用点部２１ａが前枠部１６５の前端面１６５ａに当接する位置は、前金属枠部１５５の前端面１５５ａよりも下方になってしまうことがある。
【００８０】
そこで、本実施の形態においては、幅方向に関し、イジェクトレバー２１の作用点部２１ａが当接する位置に対応する前金属枠部１５５の位置に、陥没部１７５が形成されている。該陥没部１７５は、その前面１７５ａが前金属枠部１５５の前端面１５５ａ及び前枠部１６５の前端面１６５ａと面一であって、かつ、前記前面１７５ａが、厚さ方向に延在する部分としてのＶ字状の傾斜部分を含んでいる。したがって、陥没部１７５の前面１７５ａが厚さ方向に亘って延在する範囲は、陥没部１７５外の前金属枠部１５５の前端面１５５ａの厚さ方向に亘って延在する範囲よりも広く、前枠部１６５の前端面１６５ａの厚さ方向に亘るより広い範囲に存在する。その結果、前述のように、イジェクトレバー２１の作用点部２１ａが前金属枠部１５５の前端面１５５ａよりも下方になっても、前記作用点部２１ａは、陥没部１７５の前面１７５ａに当接することとなる。
【００８１】
これにより、イジェクトレバー２１の作用点部２１ａは、確実に前金属枠部１５５の前端面１５５ａに当接することができるので、前枠部１６５が損傷したり破損したりすることがない。
【００８２】
このように、本実施の形態において、カード用トレイ１６０は、電極パッドを備えるカード１０１を保持可能、かつ、カード用コネクタ１に挿入可能である。そして、カード用トレイ１６０は、カード用トレイ１６０のカード用コネクタ１への挿入方向前方に位置する前枠部１６５と、前枠部１６５の両端に連結された側枠部１６４と、側枠部１６４に配設され、カード用コネクタ１のロック凹部７５と係合及び係合解除可能なロック凸部１６８とを含む枠部１６１を備え、ロック凸部１６８は、カード用コネクタ１のロック凹部７５と係合すると、ロック凹部７５から挿入方向前方に向いた力を受ける。
【００８３】
これにより、カード用トレイ１６０は、カード用コネクタ１に容易に挿入することができるとともに、カード用コネクタ１の所定位置に確実に保持される。
【００８４】
また、ロック凸部１６８がカード用コネクタ１のロック凹部７５と係合すると、前枠部１６５の前端面１６５ａは、カード用コネクタ１のカード挿入空間前端部１１ｋに押付けられる。これにより、カード用トレイ１６０の基準面として機能する前端面１６５ａがカード用トレイ１６０の位置決めの基準面として機能するカード挿入空間前端部１１ｋに確実に当接するので、カード用トレイ１６０はカード用コネクタ１の所定位置に正確に位置決めされる。
【００８５】
さらに、カード用コネクタ１のロック凹部７５は、前方に向うにつれて幅方向外側に向う後方傾斜部７５ｂを含み、ロック凸部１６８は、挿入方向に延在する高原部１６８ｃと、高原部１６８ｃよりも挿入方向後方の後方傾斜部１６８ｅと、高原部１６８ｃの後端と後方傾斜部１６８ｅとの境界に位置する後方角部１６８ｄとを含み、ロック凸部１６８がカード用コネクタ１のロック凹部７５と係合すると、ロック凸部１６８の後方角部１６８ｄがカード用コネクタ１のロック凹部７５の後方傾斜部７５ｂに当接する。したがって、ロック凸部１６８の後方角部１６８ｄは、ロック凹部７５の後方傾斜部７５ｂに沿って摺動し、カード用コネクタ１の幅方向外側に向うように、かつ、前方に向うように変位することとなり、カード用トレイ１６０は、前方に向うように付勢される。
【００８６】
さらに、側枠部１６４は、カード１０１の側端１１１ｓと対向する内枠部１６４ｂと、ロック凸部１６８が形成された外枠部１６４ａと、内枠部１６４ｂと外枠部１６４ａとを分離するスリット部１６４ｄとを含み、外枠部１６４ａは、初期状態において、前後方向に直線的に延在する。したがって、外枠部１６４ａの剛性が高く、また、外枠部１６４ａが変位しても、内枠部１６４ｂと干渉することがない。
【００８７】
さらに、枠部１６１は、金属板から成る金属部１５１と、金属部１５１の周囲の少なくとも一部を被覆する樹脂部１６１ａとを含み、外枠部１６４ａは金属層と樹脂層とを積層した積層構造を有し、ロック凸部１６８は積層構造の積層方向と直交する方向に弾性的に変位可能である。したがって、外枠部１６４ａは、金属層と樹脂層とが分離することなく、強いばね力を発揮する。
【００８８】
さらに、金属部１５１は前金属枠部１５５を含み、前金属枠部１５５の前端面１５５ａは前枠部１６５の前端面１６５ａに露出する。したがって、前枠部１６５の前端面１６５ａは、損傷を受けたり摩滅したりすることがないので、基準面としての機能が低下することがない。
【００８９】
なお、本発明は前記実施の形態に限定されるものではなく、本発明の趣旨に基づいて種々変形させることが可能であり、それらを本発明の範囲から排除するものではない。
【産業上の利用可能性】
【００９０】
本発明は、カード保持部材及びカード用コネクタに適用することができる。
【符号の説明】
【００９１】
１    カード用コネクタ
１１、８１１    ハウジング
１１ａ    奥壁部
１１ｂ    底壁部
１１ｃ    第１端子保持凹部
１１ｄ    第１端子ソルダーテール用開口
１１ｅ、８１１ｅ    側壁部
１１ｆ    前端部
１１ｇ    第２端子保持凹部
１１ｈ    第２端子ソルダーテール用開口
１１ｋ    カード挿入空間前端部
１１ｒ    後端部
１２    下側シェル
１３    掛止突起
１７    可動部材
１８    挿入口
２１    イジェクトレバー
２１ａ    作用点部
２１ｂ    力点部
２１ｃ    支点部
２２    プッシュロッド
２２ａ    操作部
２２ｂ    係合部
５１    第１端子
５１ａ、６１ａ    接触部
５１ｄ、６１ｄ、６４    ソルダーテール部
６１    第２端子
６２    天板部
６３    側板部
６３ａ    掛止開口
６５    シェル
６７    固定部材
７５    ロック凹部
７５ａ、１５８ａ、１６８ａ    前方傾斜部
７５ｂ、１５８ｅ、１６８ｅ    後方傾斜部
１０１、９０１    カード
１１１ｂ    上面
１１１ｃ    切欠部
１１１ｆ    前端
１１１ｓ    側端
１１２    側面
１５１    金属部
１５２    後金属枠部
１５４    金属側枠部
１５４ｃ    連結部
１５４ｅ、１６４ｅ    外側面
１５５    前金属枠部
１５５ａ、１６５ａ    前端面
１５６    開口
１５８    金属凸部
１５８ｂ、１６８ｂ    前方角部
１５８ｃ、１６８ｃ    高原部
１５８ｄ、１６８ｄ    後方角部
１６０    カード用トレイ
１６１    枠部
１６１ａ    樹脂部
１６２    後枠部
１６３    後板部
１６３ａ    挿通孔
１６４、９６４    側枠部
１６４ａ    外枠部
１６４ｂ    内枠部
１６４ｃ    凸部
１６４ｄ    スリット部
１６５    前枠部
１６６、９６６    空間部
１６７    庇部
１６８    ロック凸部
１６９    アンカー部
１７１    アンカー用凹部
１７５    陥没部
１７５ａ    前面
１７５ｂ    上面
８１７、８１８    検出スイッチ用端子
８５１    端子
８７５    凹部
９６１    枠部材
９７５    ラッチ部材
【図１】
0006416018.tif 000002
【図２】
0006416018.tif 000003
【図３】
0006416018.tif 000004
【図４】
0006416018.tif 000005
【図５】
0006416018.tif 000006
【図６】
0006416018.tif 000007
【図７】
0006416018.tif 000008
【図８】
0006416018.tif 000009